(57)【特許請求の範囲】
【請求項１】
１つのレーザー光源からのレーザー光を分割して作成した２本の記録用レーザー光により、半径方向にトラックピッチだけ隔てた２つのスポットを同時に露光し、その送りピッチを半径方向のトラックピッチの２倍にすることにより、グルーブまたはランドから成るダブルスパイラル構造のトラックをデータ記録領域に形成し、
前記２本の記録用レーザー光のうちの１本の記録用レーザー光でピット列を露光することにより、シングルスパイラル構造のトラックを再生専用領域に形成する
ことを特徴とする光学的記録媒体の製造方法。
【請求項２】
請求項１に記載の光学的記録媒体の製造方法において、前記再生専用領域のトラックピッチが、前記データ記録領域のトラックピッチの２倍よりも狭いことを特徴とする光学的記録媒体の製造方法。
【請求項３】
請求項１に記載の光学的記録媒体の製造方法において、前記データ記録領域を、前記２つの露光スポットのうちの一方の露光スポットを振動させ、残りの一方の露光スポットを直進させることによって形成することを特徴とする光学的記録媒体の製造方法。
【請求項４】
請求項１または２に記載の光学的記録媒体の製造方法において、前記データ記録領域の一方のトラックと前記再生専用領域のトラックとが連続していることを特徴とする光学的記録媒体の製造方法。
【発明の詳細な説明】
【０００１】
【発明の属する技術分野】
本発明は、光学的記録媒体に関し、特に、再生専用領域を併有した追記型または書き換え型の光学的記録媒体の記録密度の向上等を図ったものに関する。
【０００２】
【従来の技術】
光学的記録媒体の一種である光ディスクでは、図１０Ａに示すような光学的に透明なプラスチック製の基板３の一方の面（信号面）４上の信号記録領域２に、一般に所定ピッチｐ（例えばｐ＝０．７〜１．６μｍ）の螺旋（スパイラル）状のトラックを有している。トラックは、図１０Ｂに示すような連続溝状の凹凸（凹部であるグルーブ５及び凸部であるランド６）か、あるいは図１０Ｃに示すような連続したピット列８から成っている。
【０００３】
光ディスクのうち、相変化記録方式または光磁気記録方式を採用した追記型や書き換え型の光ディスクのような、ユーザーが情報を書き込み可能な光ディスク（以下単に「記録可能な光ディスク」と呼ぶ）では、図１０Ｂのグルーブ５とランド６とのいずれか一方を記録エリアとして用い、残りの一方をトラッキング用光反射エリアとして用いるものが主流になっている。
【０００４】
他方、再生専用の光ディスクでは、図１０Ｃのピット列８を記録エリアとトラッキング用回折格子とに兼用するものが主流になっている。
【０００５】
情報の記録・再生時には、スピンドルモータ（図示せず）の駆動により光ディスク１を回転させながら、信号面４とは反対側の面（読み取り面）７に、光学ピックアップ（図示せず）からレーザー光を照射する。
【０００６】
そして、記録可能な光ディスクでは、記録時に、その照射光によって例えばランド６上の記録エリアに、再生専用ディスクにおけるピットに相当するマークとして情報が書き込まれ、再生時に、その書き込まれた情報が反射光によって読み取られる。また、記録・再生用のレーザー光が常に所定のトラック上に照射されるように、例えばグルーブ５からの反射光を検出してトラッキングが行われる。
【０００７】
他方、再生専用の光ディスクでは、ピット列８を形成した信号面４からの反射光，回折光を検出することにより、情報の読み取り，トラッキングがそれぞれ行われる。
【０００８】
こうしたトラックの形状は記録媒体としての性能を左右するものなので、基板３は高精度に製造することが要求される。図１１は、一般に行われている光ディスクの基板の製造工程を示す。
【０００９】
（１）原盤製作
原盤の材料であるガラスを板状に加工し、その表面を十分平坦に研磨して洗浄と乾燥を行うことにより、ガラス原盤２３を製作する。
【００１０】
（２）フォトレジスト塗布
フォトレジスト（露光処理によってアルカリ可溶性となるポジ型レジスト）２０をガラス原盤２３上に厚さ約０．１μｍ程度に塗布し、ガラス原盤２３に熱処理を施すことによりフォトレジスト２０を乾燥させる。
【００１１】
（３）レーザー光による記録（カッティング）
記録用レーザー光３１を対物レンズ３２で集光してガラス原盤２３上のフォトレジスト２０に照射する（記録可能な光ディスクでは照射を連続的に行い、再生専用の光ディスクでは照射を断続的に行う）ことにより、フォトレジスト２０を露光させる。同時に、ガラス原盤２３を円周方向に回転させながら、露光スポットを一定の送りピッチで（即ち一回転あたり等距離ずつ）原盤２３の半径方向に送る。これにより、記録可能な光ディスクの場合には一定間隔のスパイラル状のグルーブから成るトラックの潜像がフォトレジスト２０に生じ、再生専用の光ディスクの場合には一定間隔のスパイラル状のピット列から成るトラックの潜像がフォトレジスト２０に生じる。
【００１２】
（４）現像
フォトレジスト２０をアルカリ性現像液で現像することにより、その露光部分を除去する。これにより、記録可能な光ディスクの場合には、ガラス原盤２３に、スパイラル状のグルーブ２５とランド２６とを交互に繰り返して成る所定ピッチのトラックパターンがガラス原盤２３に形成される。また、再生専用の光ディスクでは、連続したスパイラル状のピット列２８から成る所定ピッチのトラックパターンが形成される。
【００１３】
（５）スタンパの作成
ガラス原盤２３上にニッケルを電鋳し、形成されたニッケル層を剥離することにより、ガラス原盤２３上のパターンを転写したニッケルマスター（スタンパー）３４を作成する。
【００１４】
（６）プラスチック成形
スタンパ３４を用いて、光ディスクの基板材料であるプラスチックを射出成形法等によって成形することにより、図１０に示したようなグルーブ及びランドまたはピット列から成るトラックを有する光ディスクの基板３（原盤のレプリカ）が作成される。
【００１５】
このレプリカの作成後、記録可能な光ディスクでは基板３の信号面４上に記録膜，反射膜等（図示せず）が成膜され、再生専用の光ディスクでは基板３の信号面４上に反射膜，保護膜等（図示せず）が成膜される。
【００１６】
図１２は、図１１の工程中のカッティングを行うために用いられる装置（カッティングマシン）の全体構成の概要を示し、図１３は、その光学系の詳細な構成を示す。このカッティングマシンは、次の各部から構成されている。
【００１７】
（１）光源であるレーザー装置４１
一例として波長４１３ｎｍのＫｒイオンレーザー装置が用いられる。
（２）記録光強度制御部４２
光源の出力の不安定さを除去し、最終的な記録光強度を制御するための装置であり、電気光学結晶素子（ＥＯ）４２ａ，アナライザー４２ｂ，フォトダイオード４２ｃ，記録光パワー制御回路４２ｄを用いたサーボシステムが用いられる。
【００１８】
（３）光変調部４３
ビームスプリッターＢＳ１，ＢＳ２や凸レンズＬ１，Ｌ２により形成される光路上に、光変調器４３ａを設けた光学系である。光変調器４３ａは、電気的記録信号の電圧レベルに応じた長さのピットを形成するものであり、記録信号の電圧レベルを光強度に変換する（例えば記録信号の電圧レベルが「０」，「１」の２値から成る場合は、通過光をオン，オフする）。光変調器としては、数十ＭＨｚの帯域で使用できる性能が要求されるので、通常はＥＯＭ（電気光学結晶素子変調器）やＡＯＭ（音響光学結晶素子変調器）が用いられる。
【００１９】
（４）ビームエキスパンダー部４４
記録用レーザー光のビーム径を拡大する光学系であり、その拡大率（倍率）によって集光スポット径が調整される。
【００２０】
（５）対物レンズ４５
記録用レーザー光を集光してガラス原盤２３上のフォトレジスト２０に照射させる光学系である。
（６）ガラス原盤２３を保持して円周方向に回転させるターンテーブル４６
（７）送り機構（図示せず）
ビームエキスパンダー部４４及び対物レンズ４５を移動定盤に保持し、移動定盤をモーター等で原盤２３の半径方向に移動させることにより記録用レーザー光の露光スポットを原盤２３の半径方向に送る機構である。
【００２１】
（８）サーボシステム
ガラス原盤２３の面に垂直な方向での原盤２３と対物レンズ４５との距離を一定に保つものであり、通常は、フォトレジスト２０が感光しない波長のフォーカシング用レーザー４７が使用される。
【００２２】
こうした構成のカッティングマシンを用い、ガラス原盤２３を回転させながら、記録用レーザー光の露光スポットを所定の送りピッチで原盤２３の半径方向に送ることにより、前述のように、一定間隔のスパイラル状のグルーブ（またはピット列）の潜像がフォトレジスト２０に生じる。
【００２３】
図１２及び図１３にはカッティングマシンの光学系の基本構成を示したが、記録可能な光ディスクの場合には、基板の製造工程の段階で、ユーザーによる情報の書き込み時の目標となるアドレス信号等をも予め記録しておく必要がある。そのための方式としては、グルーブ用の露光スポットとは別の位置でアドレス信号のピット用の露光を行うものや、グルーブ用の露光スポットを原盤の半径方向に振動させる（ウォブリング）ことにより蛇行グルーブの潜像を生じさせるものがあり、カッティングマシンにもそれに対応した光学系が付加されている。
【００２４】
図１４は、ウォブリングに対応した２ビーム光学系を有するカッティングマシンの構成の概要を示す。図１２及び図１３に示した光学系（チャンネルＣｈ−Ａとする）の他に、別の光学系（チャンネルＣｈ−Ｂとする）が設けられており、アナライザー４２ｂの後段のビームスプリッターＢＳ１の透過率を約５０％にすることにより、Ｃｈ−Ａに与えられる光量とＣｈ−Ｂに与えられる光量とがほぼ等しくなっている（但し、チャンネル毎の必要な光量に応じてビームスプリッターＢＳ１の透過率を５０％以外に決定してもよい）。
【００２５】
Ｃｈ−Ｂは、光変調部に関してはＣｈ−Ａの光変調部４３と全く同一の構成をしており、Ｃｈ−Ａの光変調器４３ａに供給する電気的記録信号と、Ｃｈ−Ｂの光変調器４３ａ’に供給する電気的記録信号とを異ならせることにより、別々のパターン（例えばＣｈ−Ａではグルーブ，Ｃｈ−Ｂではピット）に対応した記録用レーザー光が得られる。
【００２６】
Ｃｈ−Ｂの光路上には、ＡＯＤ（音響光学偏向器）等の光偏向器５１が設けられており、この光偏向器５１に入力される電気信号に応じて、記録用レーザー光の光軸方向が一平面内で微小に振動する。これにより、ガラス原盤２３上で露光スポットが振動する。尚、現在の光ディスクのフォーマットではウォブリングを原盤の半径方向に行うようになっているので、光偏向器５１は、露光スポットが図１５に示すように原盤２３の半径方向に振動するように配置されている。
【００２７】
Ｃｈ−Ｂの記録用レーザー光は、ビームスプリッターＢＳ３を経て、偏光ビームスプリッターＰＢＳによりＣｈ−Ａの記録用レーザー光と光軸が合わされる。ここで、レーザー装置４１からは直線偏光の状態でレーザー光が出射されているので、偏光ビームスプリッターＰＢＳの手前では、両チャンネルとも記録用レーザー光は同じ方向の直線偏光になっている。偏光ビームスプリッターは、或る方向の直線偏光を１００％透過させ、それと直交する直線偏光を１００％反射するので、両チャンネルの記録用レーザー光を最大光量でガラス原盤２３に到達させるためには、一方のチャンネルの直線偏光を９０度回転させればよい。
【００２８】
そこで、例えばＣｈ−Ａにおいて偏光ビームスプリッターＰＢＳの前段に半波長板５２を設け、半波長板５２によって直線偏光の方向が９０度回転したＣｈ−Ａの記録用レーザー光を偏光ビームスプリッターＰＢＳで１００％透過させてビームエキスパンダー部４４に入射させるとともに、Ｃｈ−Ｂの記録用レーザー光を偏光ビームスプリッターＰＢＳで１００％反射させてビームエキスパンダー部４４に入射させている。
【００２９】
尚、半波長板は、板面内の結晶軸方向に対して角度θで入射する直線偏光の方向を角度２θだけ回転させるので、Ｃｈ−Ａの記録用レーザー光の半波長板５２への入射角を調節することにより直線偏光の方向の回転角を変化させるようにすれば、偏光ビームスプリッターＰＢＳでのＣｈ−Ａの記録用レーザー光の透過率が０％から１００％の間で変化するので、両チャンネルの記録用レーザー光の光量比を最終的に調整することもできる。
【００３０】
ビームエキスパンダー部４４を通過した両チャンネルの記録用レーザー光は、対物レンズ４５によって集光されて、ガラス原盤２３上のフォトレジスト２０を露光する。両チャンネルの露光スポットは、ガラス原盤２３の半径方向に微小距離（一般にトラックのピッチの１／２以内、即ち最大で１μｍ程度）だけ隔てるようにする。そのための調整は、両チャンネルの記録用レーザー光の光軸が完全に一致した状態から、偏光ビームスプリッターＰＢＳでのＣｈ−Ｂの記録用レーザー光の反射角がガラス原盤２３の半径方向上で変化するように偏光ビームスプリッターＰＢＳに「あおり角」を与えることによって行われる。この反射角の変化により、図１５に示したウォブリングの場合と同様に、Ｃｈ−Ｂの記録用レーザー光の露光スポットがガラス原盤２３上で半径方向に移動するので、両チャンネルの露光スポットが隔てられる。
【００３１】
次に、光ディスク基板のトラック・フォーマットについて述べる。従来、図１６Ａに示すような１本の螺旋状のトラックＴを形成する「シングルスパイラル構造」が採用されていたが、近年、記録可能な光ディスクの高密度化をめざして様々なフォーマットが新たに提案されるようになっている。その一つに、図１６Ｂに示すように２本の螺旋状のトラックＴａ，Ｔｂを形成する「ダブルスパイラル構造」がある。
【００３２】
このダブルスパイラル構造は、トラック上の全ての記録位置をアクセスするためには必ず一度はトラックＴａ，Ｔｂの一方から他方へジャンプしなければならないという欠点を有するので、その欠点以上に記録密度の向上という利点を重視する場合に採用され得るフォーマットである。
【００３３】
ダブルスパイラル構造のトラックの形成方法には、次の２通りの方法がある。
（ａ）カッティング時の露光スポットの送りピッチをトラックピッチｐの２倍の２ｐにし、グルーブとランドの両方を記録エリアとして使用する方法（「ランド／グルーブ記録法」と呼ぶ）。一般に、グルーブ，ランドの幅をそれぞれほぼｐずつにしている。
【００３４】
この方法は、ランド，グルーブのうち従来トラッキング用の案内溝としてしか使用していなかったほうの面積を有効に利用して記録密度を向上させるものであり、今後の光ディスクの高密度化のための最有力な方法と考えられている。
【００３５】
（ｂ）カッティング時に、半径方向にトラックピッチｐだけ隔てた２スポットを露光し、その送りピッチをトラックピッチｐの２倍の２ｐにする方法（「２スポット露光法」と呼ぶ）する。
この方法の代表例に、本出願人の提案する「間歇ウォブリング方式」（特許出願番号特願平８−９６９１号）がある。この方法は、前述のアドレス信号等の記録のためのウォブリングを変形して適用したものであり、図１７に示すように、トラックＴａ，Ｔｂの一方（図ではＴｂ）をウォブルトラックとしてその露光スポット（スポットＢ）を振動させ、残りの一方（図ではＴａ）ではその露光スポット（スポットＡ）を通常通りに直進させている。
【００３６】
通常のウォブリングでは、トラックピッチを狭くするにつれて、隣り合うトラック間の記録信号の漏れ込み（クロストーク）が大きくなるので信号の正確な読み取りが困難になるという問題がある。しかし、この間歇ウォブリング方式では、ウォブリングされたトラックが１本おきにしか存在しないので、トラックピッチが狭い場合にも、クロストークを十分に防止して信号を正確に読み取ることが可能である。この方法は、ミニディスクの一種である第２世代のＭＤ−ＤＡＴＡに採用される予定である。
【００３７】
２スポット露光法は、図１４に示したような２ビーム光学系を有するカッティングマシンを用いて行われる。
【００３８】
【発明が解決しようとする課題】
ところで、以上のようなダブルスパイラル構造は、記録可能な光ディスクにおける記録用の領域の高密度化をめざして提案されたトラック・フォーマットであり、グルーブ及びランドから成るデータ記録領域のみを有することを前提とするものであった。
【００３９】
これに対し、例えば光ディスクをはじめとする各種光学的記録媒体にはフォーマットに関する固有情報を予め記録しておくことが一般的であり、また、予め記録されている各種情報に加えてユーザーが後から情報を書き込むことができるようにした光ディスク（「パーシャルＲＯＭ」と呼ばれるもの）も存在しているが、これらに適応したトラック・フォーマットの光ディスクはいまだ提案されるに至っていない。
【００４０】
本発明は上述の点に鑑みてなされたもので、フォーマットに関する固有情報を予め記録することやパーシャルＲＯＭに適応したトラック・フォーマットの光学的記録媒体の製造方法を提供しようとするものである。
【００４１】
【課題を解決するための手段】
本発明に係る光学的記録媒体の製造方法は、１つのレーザー光源からのレーザー光を分割して作成した２本の記録用レーザー光により、半径方向にトラックピッチだけ隔てた２つのスポットを同時に露光し、その送りピッチを半径方向のトラックピッチの２倍にすることにより、グルーブまたはランドから成るダブルスパイラル構造のトラックをデータ記録領域に形成し、この２本の記録用レーザー光のうちの１本の記録用レーザー光でピット列を露光することにより、シングルスパイラル構造のトラックを再生専用領域に形成することを特徴としている。
【００４２】
この製造方法で製造された光学的記録媒体によれば、１つのレーザー光源からのレーザー光を分割して作成した２本の記録用レーザー光による２つの露光スポットで同時に露光され、その送りピッチを半径方向のトラックピッチの２倍にして形成されたグルーブまたはランドから成る（すなわち、前述の２スポット露光法によって形成された）ダブルスパイラル構造のデータ記録領域の他に、この２本の記録用レーザー光のうちの１本の記録用レーザー光で露光されるピット列から成るシングルスパイラル構造のトラックを形成した再生専用領域が存在しているので、この再生専用領域に、フォーマットに関する固有情報やその他の各種情報を予め記録することができるようになる。
【００４３】
再生専用領域のトラックをシングルスパイラル構造としたことには、以下のような理由がある。
現行のカッティング方法のように連続露光（カッティングマシンの送り機構による送り動作とターンテーブルによる回転動作とを一瞬も止めず、これらに不連続な動作もさせないこと）を行うことを前提とすると、データ記録領域の他に再生専用領域を設けるためのカッティング方法として、次のような方法が考えられる。
【００４４】
１．再生専用領域において、一つの露光スポットでカッティングを行う方法。
これは、更に次の２通りに分かれる。
（ａ）図１に示すように、データ記録領域のダブルスパイラル構造のトラックの潜像をランド／グルーブ記録法で形成する場合において、データ記録領域のグルーブの潜像を形成したスポットＡをそのまま再生専用領域（ＲＯＭ領域）のトラックの潜像の形成のために使用する方法。
【００４５】
（ｂ）図２に示すように、データ記録領域のダブルスパイラル構造のトラックの潜像を２スポット露光法で形成する場合において、２スポットＡ，Ｂのうちの一方のスポット（図ではスポットＢ）を再生専用領域のトラックの潜像の形成のために使用する方法。
これらの方法においては、再生専用領域のトラックはシングルスパイラル構造となる。
【００４６】
２．再生専用領域において、二つの露光スポットでカッティングを行う方法。
これは、更に次の２通りに分かれる。
（ａ）図３に示すように、データ記録領域のダブルスパイラル構造のトラックの潜像をランド／グルーブ記録法で形成した場合において、再生専用領域のトラックの潜像の形成のために、送りピッチ２ｐに対して半径方向にスポットＡから距離ｐだけ隔てたもう一つのスポットＢを追加して使用する方法。
【００４７】
（ｂ）図４に示すように、データ記録領域のダブルスパイラル構造のトラックの潜像を２スポット露光法で形成した場合において、スポットＡ，Ｂをそのまま再生専用領域のトラックの潜像の形成のために使用する方法。
これらの方法においては、再生専用領域のトラックはダブルスパイラル構造となる。
【００４８】
このうち、再生専用領域のトラックをダブルスパイラル構造とすることには、前述のようにトラックジャンプを行わなければならないという欠点があり、しかも再生専用領域の場合には、データ記録領域と違って記録密度の向上という利点がこの欠点以上には重視されていない。また、この欠点の他にも、再生専用領域への記録信号を１本のマスターから二つの露光スポット用の（即ち２チャンネル用の）２つの信号に分割しなければならないので手間がかかるという欠点や、二つの露光スポットはカッティングマシン上で異なる光路を通過するので、それらで露光されたピット列から同等な再生信号を得ることが相当困難である（ピットの形成のための露光は、グルーブの形成のための露光と比較してトラックの接線方向のスポット形状も敏感に反映するので、制御がより難しい）という欠点がある。
【００４９】
更に、より重大な問題として、記録可能な光ディスクその他の光学的記録媒体の記録再生装置（ドライブ）がサポートする再生専用の記録媒体のトラック・フォーマットとの互換性の問題がある。こうしたドライブにおける再生専用の記録媒体のトラック・フォーマットはシングルスパイラル構造になっており、従って、再生専用領域をダブルスパイラル構造にすると、こうしたドライブの設計においてトラックジャンプやトラッキングサーボの問題への対応を考えなければならなくなるので設計が厄介になってしなう。
【００５０】
これらの理由から、再生専用領域をシングルスパイラル構造とした。これにより、ドライブのシステムの簡素化や、再生専用領域への記録作業の簡略化や、再生専用領域からの再生信号の精度の向上が実現される。
【００５１】
尚、この製造方法において、一例として、再生専用領域のトラックピッチが、データ記録領域のトラックピッチの２倍よりも狭いことが好適である。
【００５２】
このように再生専用領域のトラックピッチをデータ記録領域のトラックピッチの２倍よりも狭くしたことには、以下のような理由がある。
【００５３】
図１及び図２に示した上記１．（ａ），（ｂ）の方法により再生専用領域をシングルスパイラル構造とした場合、ダブルスパイラル構造のデータ記録領域のトラックピッチｐに対して送りピッチが２ｐになるので、再生専用領域のトラックピッチも２ｐ（即ちデータ記録領域のトラックピッチｐの２倍）になる。従って、再生専用領域の記録密度が、技術的眼界よりも低くなってしまう。
【００５４】
フォーマットに関する固有情報を予め記録するだけであれば、再生専用領域の記録容量はほとんど無視できる程度に小さくていいので、こうした記録密度の低下は問題にならない。しかし、パーシャルＲＯＭにおいては、再生専用領域の記録密度の低下は深刻な問題である。
【００５５】
また、再生専用領域への記録信号は、同じ記録密度で比較するとデータ記録領域への記録信号（相変化信号または光磁気信号）と信号特性（スキューマージン等）が一致しない。従って、再生専用領域の記録密度をデータ記録領域と等しくする必要はないが、少なくとも再生専用領域のトラックピッチがデータ記録領域よりも２倍も広くなければならない理由は全く存在しない。
【００５６】
これらの理由から、再生専用領域のトラックピッチをデータ記録領域のトラックピッチの２倍よりも狭くした。これにより、データ記録領域と再生専用領域との記録密度を、互いのフォーマットによる制約を受けることなくそれぞれ向上させることができるようになる。
【００５７】
尚、一例として、再生専用領域のトラックピッチは、光学的記録媒体を実際に駆動しようとする特定のドライブでサポートされている再生専用の記録媒体のトラック・フォーマットにおけるトラックピッチに一致させることが好適である。そうすることにより、そのドライブで駆動される再生専用の記録媒体との互換性を容易に持たせることができるようになる。
【００６０】
【発明の実施の形態】
以下、添付図面を参照して本発明の実施例を詳細に説明する。
図５〜図７は、グルーブ及びランドから成るダブルスパイラル構造のトラックを形成したデータ記録領域と、ピット列から成るシングルスパイラル構造のトラックを形成した再生専用領域とを併有する光ディスクのトラックフォーマットの例をそれぞれ示す。
【００６１】
このうち、図５の例では、データ記録領域と再生専用領域（ＲＯＭ領域）とが、トラックを形成されていない領域（無信号面あるいはミラー面と呼ぶ）によって隔てられている。
【００６２】
図６の例では、データ記録領域と再生専用領域とが一部重なり合った領域（データ記録領域のトラックＴａとＴｂの間に再生専用領域のトラックＴが挟まれた領域）が存在している。
【００６３】
これらのトラックフォーマットは、カッティング時にデータ記録領域と再生専用領域とを別々に独立してカッティングすることによって実現される。
【００６４】
即ち、光ディスク上で再生専用領域が占める記録半径Ｒｒの範囲をｒ１≦Ｒｒ≦ｒ２とし、データ記録領域が占める記録半径Ｒｗの範囲をｒ３≦Ｒｗ≦ｒ４とすれば、図５の場合にはｒ２＜ｒ３と設定し、図６の場合にはｒ２＞ｒ３と設定してデータ記録領域と再生専用領域とをそれぞれカッティングすればよい。ここで、このｒ２とｒ３との差の絶対値が大きいほど（即ち図５の無信号面や図６の重なり領域が大きいほど）記録容量のロスが増大するので、この値を可能な限りゼロに近くすることが望ましい。このことはカッティングの開始時や終了時における露光スポットの半径方向上での位置決め精度にも依存するが、現在のカッティングマシンは５μｍ程度（トラック１０本分程度）の位置決め精度を有しているので、記録容量のロスを無視できる程度に少なくすることができる。
【００６５】
尚、図５や図６の例では、再生専用領域とデータ記録領域とが完全に不連続になるので、再生専用領域，データ記録領域の一方の領域のトラックをそのまま追従していっても他方の領域のトラックに移行することはない。そこで、こうしたトラックフォーマットの光ディスクから全ての領域の記録信号を再生するためには、再生専用領域・データ記録領域間の移行を可能にする方式が必要になる。
【００６６】
この方式としては、例えば記録可能なミニディスクにおいて再生専用領域・データ記録領域間の移行のために現在実施されている方式を利用すればよい。
図８はこの方式を示す図であり、まず、再生専用領域とデータ記録領域との境界付近の数トラックを、記録や再生には使用しない領域（遷移領域または不使用領域と呼ぶ）としておく。そして、同図に丸１として示すように、例えば再生専用領域の記録信号の再生が終了した時点で、再生スポットを、遷移領域を越えたデータ記録領域の適当な位置にトラックジャンプさせる。このとき、再生専用領域とデータ記録領域とで、トラッキング・サーボ系のゲインを（場合によっては極性をも）切り替えるようにする。次に、同図に丸２として示すように、着地したデータ記録領域のトラックでのアドレス信号（アドレスビットまたはウォブリングによって挿入されたアドレス情報）に基づいて、目的のアドレスを探し出す。
【００６７】
図５や図６のトラックフォーマットの光ディスクでこの方式を利用するためには、図５における無信号面，図６における重なり領域とそれぞれその前後数トラック分とを合わせた領域を遷移領域として設定すればよい。
【００６８】
次に、図７のフォーマット例では、データ記録領域のトラックＴａ，Ｔｂのうちの一方のトラック（ここではＴａ）と再生専用領域のトラックＴとが連続している。
このトラックフォーマットは、カッティング時に、データ記録領域のトラックの潜像を形成する箇所と前記再生専用領域のトラックの潜像を形成する箇所との境界部分で露光スポットの送りピッチを変化させることによって実現される。
【００６９】
即ち、例えば再生専用領域のトラックピッチを０．９μｍにし、データ記録領域のトラックピッチをランド／グルーブ記録法を採用して０．９μｍにする場合には、まず再生専用領域について送りピッチ０．９μｍでカッティングを終えた後、露光スポットがデータ記録領域に向けて境界部分（図７の遷移領域）を移動している間に、送りピッチを１．８μｍにまで変化させる。
【００７０】
また、例えば再生専用領域のトラックピッチを０．９μｍにし、データ記録領域のトラックピッチを２スポット露光法を採用して０．９μｍにする場合には、まず再生専用領域について送りピッチ０．９μｍでカッティングを終えた後、露光スポットがデータ記録領域に向けて境界部分を移動している間に送りピッチを１．８μｍにまで変化させ、露光スポットがデータ記録領域に達すると、その露光スポットから半径方向に０．９μｍだけ隔てて別の露光スポットを追加する。（以上の二例において、先にデータ記録領域のほうについて送りピッチ１．８μｍでカッティングを終えた後、露光スポットが再生専用領域に向けて境界部分を移動している間に送りピッチを０．９μｍにまで変化させるようにしてもよいことはもちろんである。）
【００７１】
ところで、カッティングの最中に送りピッチを変更した場合、当然ながら、送りピッチが再び安定するまでには多少の時間を要する。現行のカッティングマシンの送り機構はリニアモーターによるエアスライド方式または空気静圧ネジ方式を採用しており、エアスライド方式の場合にはこの所要時間の実測結果が約１／１５秒であった。従って、例えばカッティングマシンのターンテーブルの回転数を毎分９００回転（毎秒１５回転）にした場合には、ターンテーブルがほぼ１回転する間に送りピッチを変更後のピッチで安定させることができる。現行のカッティングマシンにおけるターンテーブルの回転数は概ね毎分２００回転から２５００回転の範囲内にあり、従って最大でもターンテーブルが３回転する間に送りピッチを安定させることができるので、実用上は全く問題はないといってよい。
【００７２】
尚、図７のトラックフォーマットの光ディスクから記録信号を再生する場合にも、再生専用領域とデータ記録領域との遷移領域ではやはり図８のように再生スポットをトラックジャンプさせることが好適である。その理由は、第１に、トラックジャンプをしている間にトラッキング・サーボ系のゲインを（場合によっては極性をも）切り替えることができるからである。また第２に、ランド／グルーブ記録法において先にランドのほうに信号が記録されている場合もあるが、再生専用領域のトラックをそのまま追従していくとデータ記録領域のグルーブに移行してしまうのに対し、トラックジャンプをすれば先にデータ記録領域のランドにも移行できるからである。
【００７３】
この図７のトラックフォーマットには、図５や図６のトラックフォーマットと比較して、次のような利点がある。
（ａ）トラックジャンプした際に誤って遷移領域に着地してしまった場合にも、遷移領域にグルーブが存在しているので、そのままデータ記録領域のグルーブに移行することができる。従って、再生スポットが暴走する危険性が少ない。
【００７４】
（ｂ）前述のようにターンテーブルが最大でも３回転する間に送りピッチを変更後のピッチに安定化させることができるので、遷移領域の幅が図５や図６の場合よりも狭くてすむ。従ってトラックジャンプした際に誤って遷移領域に着地する確率自体が低くなる。
【００７５】
ところで、現行のカッティングマシンの送り機構制御系は、図９にも示すように、一例として次のようなシステム構成になっている。
（１）記録線速度（ＣＬＶ）またはターンテーブルの回転数（ＣＡＶ）のいずれかの情報と、送りピッチの情報とをシステムコントローラーＳＣに与え（ＣＬＶ情報のほうを与えた場合には記録半径の情報をもシステムコントローラーに与え）、これらの情報から送り機構の送り速度を計算させる。
【００７６】
（２）この送り速度情報をデジタルシグナルプロセッサーＤＳＰに与え、所定ビット（例えば２４ビット）のデジタルデータを作成させる。（このビット数を多くするほど、送り速度を細かく設定することができる。また、ＣＬＶ情報及び記録半径の情報を用いて送り速度を計算する場合には記録半径によって送り速度が変化するが、その場合でもこのビット数を多くすることによって送り速度を高精度に制御することが可能になる。）
【００７７】
（３）このデジタルデータをダイレクトデジタルシンセサイザーＤＤＳに与え、送り速度に応じた周波数のパルス信号に変換させる。
（４）このパルス信号を送り機構ドライバーＤＲに与え、パルス信号の周波数に応じた送り速度で送り機構（モーター等）を動作させる。
【００７８】
そこで、カッティングの最中に送りピッチを変更させるためには、図９に示すように、上記（１）の段階で複数通りの送りピッチ情報とそれに対応する複数通りの記録半径情報とをシステムコントローラーＳＣに与えるようにプログラムを組んだシステム構成にすればよい。
【００７９】
あるいは、送りピッチｐの変化を２の累乗倍（２ｐ，４ｐ，…）または２の累乗の逆数倍（ｐ／２，ｐ／４，…）に限定してよい場合には、図９に示すように、上記（３）の段階で、分解能を向上させるためにまず周波数ｆの高周波パルス信号を生成した後、これを分周することにより周波数ｆ／２，ｆ／４，ｆ／８，ｆ／１６等のパルス信号を生成し、これらのパルス信号をセレクタＳＬに供給するとともに、記録半径に応じてセレクタＳＬの選択を切り替えさせることにより、送り機構ドライバーＤＲに供給するパルス信号の周波数を記録半径に応じて切り替えるようにしてもよい。（図では、現在周波数ｆ／４のパルス信号がドライバーＤＲに供給されており、セレクタＳＬの選択を周波数ｆ／８のパルス信号に切り替える信号が与えられている状態を示している。）
尚、以上の実施例では光ディスクに本発明を適用しているが、その他の光学的記録媒体（例えば光カード等）に本発明を適用してもよい。
また、本発明は、以上の実施例に限らず、本発明の要旨を逸脱することなく、その他様々の構成をとりうることはもちろんである。
【００８０】
【発明の効果】
以上のように、本発明によって製造された光学的記録媒体によれば、１つのレーザー光源からのレーザー光を分割して作成した２本の記録用レーザー光による２つの露光スポットで同時に露光され、その送りピッチを半径方向のトラックピッチの２倍にして形成されたグルーブまたはランドから成るダブルスパイラル構造のトラックを形成したデータ記録領域の他に、この２本の記録用レーザー光のうちの１本の記録用レーザー光で露光されるピット列から成るシングルスパイラル構造のトラックを形成した再生専用領域が存在するので、この再生専用領域に、フォーマットに関する固有情報やその他の各種情報を予め記録することができるようになる。
【００８１】
また、再生専用領域のトラックピッチをデータ記録領域のトラックピッチの２倍よりも狭くした場合（即ち再生専用領域のシングルスパイラル構造のトラックの潜像を形成する際の露光スポットの送りピッチを、データ記録領域のダブルスパイラル構造のトラックの潜像を形成する際の送りピッチよりも狭くした場合）には、データ記録領域と再生専用領域との記録密度を、互いのフォーマットによる制約を受けることなくそれぞれ向上させることができるとともに、再生専用の記録媒体との互換性を容易に持たせることができるようになる。
【図面の簡単な説明】
【図１】本発明に係るカッティング方法の一例を示す図である。
【図２】本発明に係るカッティング方法の別の一例を示す図である。
【図３】データ記録領域の他に再生専用領域を設けるためのカッティング方法の別の一例を示す図である。
【図４】データ記録領域の他に再生専用領域を設けるためのカッティング方法の別の一例を示す図である。
【図５】本発明に係る光ディスクのトラックフォーマットの一例を示す図である。
【図６】本発明に係る光ディスクのトラックフォーマットの別の一例を示す図である。
【図７】本発明に係る光ディスクのトラックフォーマットの別の一例を示す図である。
【図８】再生専用領域・データ記録領域間の移行のための方式を示す図である。
【図９】本発明に係るカッティングマシンの送り機構制御系のシステム構成例を示す図である。
【図１０】光ディスクの構成例を示す図である。
【図１１】光ディスクの基板の製造工程の一例を示す図である。
【図１２】カッティングマシンの構成の一例を示す図である。
【図１３】図１２のカッティングマシンの光学系の一例を示す図である
【図１４】カッティングマシンの構成の一例を示す図である。
【図１５】ウォブリングの一例を示す図である。
【図１６】従来の光ディスクのトラックフォーマットの一例を示す図である。
【図１７】間歇ウォブリング方式の一例を示す図である。
【符号の説明】
１  光ディスク、  ２  信号記録領域、  ３  基板、  ４  信号面、  ５  グルーブ、  ６  ランド、  ７  読み取り面、  ８  ピット列、  ２０  フォトレジスト、  ２３  ガラス原盤、  ３４  スタンパー、  ４１  レーザー装置、  ４２  記録光強度制御部、  ４２ａ  電気光学結晶素子、  ４３  光変調部、  ４３ａ  光変調器、  ４４  ビームエキスパンダー部、  ４５  対物レンズ、  ４６  ターンテーブル、  ５１  光偏向器、    ５２  半波長板、  ＰＢＳ  偏光ビームスプリッター、  ＳＣ  システムコントローラー、  ＤＳＰ  デジタルシグナルプロセッサー、  ＤＤＳ  ダイレクトデジタルシンセサイザー、  ＤＲ送り機構ドライバー、  ＳＬ  セレクタ
【図１】
0003997564.tif 000002
【図２】
0003997564.tif 000003
【図３】
0003997564.tif 000004
【図４】
0003997564.tif 000005
【図５】
0003997564.tif 000006
【図６】
0003997564.tif 000007
【図７】
0003997564.tif 000008
【図８】
0003997564.tif 000009
【図９】
0003997564.tif 000010
【図１０】
0003997564.tif 000011
【図１１】
0003997564.tif 000012
【図１２】
0003997564.tif 000013
【図１３】
0003997564.tif 000014
【図１４】
0003997564.tif 000015
【図１５】
0003997564.tif 000016
【図１６】
0003997564.tif 000017
【図１７】
0003997564.tif 000018